Podtech/llm-jp-corpus-v4-ja_patent huggingface dataset:
(57)【要約】【課題】  柔軟性を欠く爪が二方向に湾曲している形状にも関わらず、爪の一方向の湾曲には全く配慮されていない爪切りであった為、爪切り時の指先の痛みや爪のキズも発生し易く、美観等も損なう等の従来品の不安や諸問題を解消する爪切り。【解決手段】  本発明の爪切りは、二方向に湾曲した爪先端の形状に合わせて二方向に湾曲した一対の爪切り刃を有する事で、爪を切る時、低温、低湿度、高齢等による硬質化した爪でも従来品のように爪を歪ませる事無く爪に優しくフィットさせ、爪を切る時の痛みや爪へのキズ発生を抑え、美観等への不安を解消し、爪の手入れを速やかに終える事を可能にした爪切りの提供。【選択図】図３
2007160055.tif 000002
【特許請求の範囲】
【請求項１】
本願は爪先端部の形状に合わせ、二方向に湾曲した一対の爪切り刃を有する事を特徴とした爪切り。
【発明の詳細な説明】
【技術分野】
【０００１】  本願は爪切りに関するもので、爪切り刃を二方向に湾曲した爪の形状に合わせて製作し、二方向に湾曲した一対の爪切り刃によって爪が無理無く容易に切断される爪切りに関するものである。
【背景技術】
【０００２】  従来の爪切りは、爪先の形状が二方向に湾曲しているにもかかわらず一方向に湾曲した爪切りであって、一方の爪の湾曲形状には全く配慮されていなかった。
【発明の開示】
【発明が解決しようとする課題】
【０００３】  従来の爪切りは一方向に湾曲したものであるが、爪は指先に沿うような形状で二方向に湾曲しているため爪切断時に於いては、柔軟性に乏しい爪の一方向の湾曲形状を無理やり直線状に歪めて切断する事となる。【０００４】  従来の爪切りは、湾曲した爪を無理やりに直線状で切断しようとすることから、爪切断時の指先に痛みを感じるなど一度で切り揃える事が困難な爪である為、切断された爪と未切断の爪の境界では爪の歪で一部が剥離、時には爪の生え際方向に亀裂が発生する事も生じ、爪の機能や爪の装飾、芸術描写される美観等にまで問題を生じていた。【０００５】  爪の硬質度は温度、湿度に過敏であり低温や乾燥時には更に硬質化し、高齢であるほど硬質化傾向にあるが、如何なる条件であっても安心して容易に爪の切断や手入れが可能である事が望ましい。【０００６】  爪のキズは自らや他人の肌を傷付け、衣類を引っ掛け衣類の組織を乱して大切な衣類を台無しにするなどの問題を生ずる事もあった。【０００７】  爪の剥離キズを取り除くには、ヤスリ等を使用して爪に生じた剥離部の表面を削り落とす事となるが、薄くすると外観や強度、生え際方向に削り取ると深爪となる等、痛みや機能面で上記のような諸問題や爪の手入れに時間を要する。
【課題を解決するための手段】
【０００８】  上記課題を解決するため本願の爪切りは、爪先端部の形状に合わせ二方向に湾曲した一対の爪きり刃を有する事を特徴とする。
【発明の効果】
【０００９】  本願の爪切りは、爪の形状に合わせて二方向に湾曲した一対の爪切り刃を有しているため、爪に優しくフィットし、従来品のように柔軟性に乏しい爪を無理に直線的に歪める事なく切断に至り、切断時の指先の痛みも生じず痛みや不安から解放される事となる。【００１０】  本願の爪切りは、低温、低湿度、高齢等による比較的硬質な爪でも従来品の様な爪切断時の爪への歪みが生じない為、切断部分と未切断部分の境界部の爪の剥離や亀裂が生じ難く、爪切り後の爪のキズ補正、深爪、外観等への心配も無くなる。【００１１】  特に病人、要介護者の世話を担当する看護士、介護士等が他人の爪切りをする時の不安や気遣いは軽減され、爪の手入れ時間も著しく短縮されて多忙極める看護士等の時間の余裕の生ずる事となる。
【実施例】
【００１２】  実施形態の一例について図面を参照して説明する。図１は本発明の爪切り平面図、図２は側面図、図３は正面図である。【００１３】  図４は本発明の爪切り刃の一部拡大平面図であり、図５は本発明の爪切り刃の一部拡大正面図であって、図６は本願との相違を明確にするための従来品爪切り刃の一部拡大正面図である。【００１４】  図１と、図３から本願の爪切り刃は、爪先端の形状に似た二方向に湾曲している特徴を図示したものである。【００１５】  従来品の平面図は本願の図１と相似していて一方向には湾曲しているが、図６の一部拡大正面図で示すように他方向には直線状の爪切り刃であって、本願の図１、図３及び図４、図５で図示するように、本願の爪切り刃は爪先端部の形状に似た二方向に湾曲していて従来品との相違を明確に示しており、本願の爪切りを使用して爪を切る時は、爪の形状に合い易いため爪に優しくフィットして、上記した諸問題を解決するに至るものである。【００１６】  上記は実施の一例であって図３、図５の湾曲部の図面角度に特定するものではない。
【図面の簡単な説明】
【００１７】
【図１】本発明の爪切り平面図
【図２】本発明の爪切り側面図
【図３】本発明の爪切り正面図
【図４】本発明の爪切り刃一部拡大平面図
【図５】本発明の爪切り刃一部拡大正面図
【図６】従来品の爪切り刃一部拡大正面図
【符号の説明】
【００１８】  １−１本発明の爪切り刃
１−２本発明の爪切り刃
２−１従来品の爪切り刃
２−２従来品の爪切り刃
【図１】
2007160055.tif 000003
【図２】
2007160055.tif 000004
【図３】
2007160055.tif 000005
【図４】
2007160055.tif 000006
【図５】
2007160055.tif 000007
【図６】
2007160055.tif 000008
(57)【要約】      （修正有）【課題】突起が人体を圧迫し痛みや不快感を与えず、心地よく安全に骨盤を矯正する骨盤矯正バンドを提供する。【解決手段】ゴムバンド１の下部に、温熱ヒーター３とバイブレーター４を内蔵させた半月状の物体を設けて構成する。これにより、接触した仙腸関節がゆるみ、締め付けたゴムバンドにより骨盤を矯正することができる。【選択図】図３
2007160057.tif 000002
【特許請求の範囲】
【請求項１】
ゴムバンドの下部に、温熱ヒーターとバイブレーターを内蔵させた半月状の物体を設けた骨盤矯正バンド。
【発明の詳細な説明】
【技術分野】
【０００１】  本発明は、ゴムバンドを使用した骨盤矯正バンドに関する。
【背景技術】
【０００２】  従来の骨盤矯正バンドには、内部に突起を取り付け圧迫により矯正するものがある（例えば、特許文献１参照。）。【０００３】
【特許文献１】  特許公開２００４−３２９８７０
【発明の開示】
【発明が解決しようとする課題】
【０００４】  以上に述べた従来の骨盤矯正バンドでは、突起が人体を圧迫し痛みや不快感があるものであった。【０００５】  本発明は、このような従来の構成が有していた問題を解決しようとするものであり、心地良く安全な骨盤矯正を実現することを目的とするものである。
【課題を解決するための手段】
【０００６】  そして、本発明は上記目的を達成するために、ゴムバンドの下部に、温熱ヒーターとバイブレーターを内蔵させた半月状の物体を設けたものである。【０００７】  上記第１の課題解決手段による作用は次の通りである。すなわち、半月状の物体の中に内蔵された温熱ヒーターとバイブレーターの作用により接触した仙腸関節がゆるみ、締め付けたゴムバンドにより骨盤を矯正することができる。
【発明の効果】
【０００８】  上述したように本発明の骨盤矯正バンドは、痛みや不快感、危険もなく骨盤の矯正ができ、心地よく安全な骨盤矯正バンドを提供できる。
【発明を実施するための最良の形態】
【０００９】    以下、本発明の実施の形態を図１〜図３に基づいて説明する。【００１０】  図においては、半月状ウレタン２の内部に温熱ヒーター３とバイブレーター４を取り付ける。その半月状ウレタン２をゴムバンド１の下部に取り付ける。【００１１】  半月状ウレタン２の部分が仙腸関節に接触するようにゴムバンド１を骨盤に巻きつける。【００１２】  以下、上記構成の動作を説明する。半月状ウレタン２の中に内蔵された温熱ヒーター３とバイブレーター４の作用により接触した仙腸関節がゆるみ、締め付けたゴムバンドにより骨盤を矯正することができる。
【図面の簡単な説明】
【００１３】
【図１】  骨盤矯正バンドの上面図である
【図２】  骨盤矯正バンドの横面図である
【図３】  骨盤矯正バンドの断面図である
【符号の説明】
【００１４】  １  ゴムバンド
２  半月状ウレタン
３  温熱ヒーター
４  バイブレーター
５  マジックテープ
【図１】
2007160057.tif 000003
【図２】
2007160057.tif 000004
【図３】
2007160057.tif 000005
(57)【要約】【課題】従来のドリッパーでは、コーヒー抽出後のドリッパーを持上げそして、そのドリッパーの下方を受皿台で滴を受けるため、両手を使用する必要があった。または、受皿台をテーブル等に置いておき、コーヒー抽出後のドリッパーをそれに載置する場合は、その移動時に滴をテーブル等に落とすことがあった。【解決手段】底部に抽出孔と下部に転倒止フランジとを設けた漏斗状の本体と、前記本体を載置する本体からの抽出液注入口と残露液を受ける立上縁を設けた滴溜り部とを備えた受皿台とからなるものである。これにより、受皿台をカップやポットに載せたままで、コーヒーの注入ができ、かつ残露液も受けることができる。そして、コーヒーを飲むときは本体を受皿台に載置したままカップ上端からテーブル等に移せば滴を落とすことが防げる。【選択図】図１
2007160058.tif 000002
【特許請求の範囲】
【請求項１】
底部に抽出孔と下部に転倒止フランジとを設けた漏斗状の本体と、前記本体を載置する前記本体からの抽出液注入口と残露液を受ける立上縁を設けた滴溜り部とを備えた受皿台とからなる滴受皿付きドリッパー。
【発明の詳細な説明】
【技術分野】
【０００１】  本発明は、ドリップコーヒーを抽出し終わったドリッパー本体内の残露液を受けることができる滴受皿付きドリッパーに関する。
【背景技術】
【０００２】  従来、ドリッパーの蓋体とドリッパーを載置する受皿台とを兼用するコーヒードリッパー用蓋体兼用受皿台で、円形状に形成され外周に屈曲縁を形成し、該屈曲縁の内方に載置突円縁を形成して内部に残露溜り凹部を構成したものがある（例えば、特許文献１参照。）。【０００３】
【特許文献１】  実開平０１−１２８７１３号公報
【発明の開示】
【発明が解決しようとする課題】
【０００４】  以上に述べた従来のドリッパーでは、コーヒー抽出後のドリッパーを持上げそして、そのドリッパーの下方を受皿台で滴を受けるため、両手を使用する必要があった。または、受皿台をテーブル等に置いておき、コーヒー抽出後のドリッパーをそれに載置する場合は、その移動時に滴をテーブル等に落とすことがあった。【０００５】  この発明は、片手でも安定に操作でき、受皿台をカップやポットに載せたままでも、コーヒーの注入ができ、残露液も受けることができる滴受皿付きドリッパーを提供することを目的とするものである。
【課題を解決するための手段】
【０００６】  そして、上記の目的を達成するために底部に抽出孔と下部に転倒止フランジとを設けた漏斗状の本体と、前記本体を載置する前記本体からの抽出液注入口と残露液を受ける立上縁を設けた滴溜り部とを備えた受皿台とからなるものである。【０００７】    上記の課題解決手段による操作は次の通りである。カップ等にコーヒーを注入するときは、受皿台をカップ等の上端に載せて抽出液注入口位置と本体底部の抽出孔位置が重ね合わせるようにして湯を注ぎコーヒーを抽出する。そして、注ぎ終わると本体底部の抽出孔位置を受皿台滴溜り部に水平移動すれば残露液を受けることができる。また、本体下部に転倒止フランジを設けているため安定に操作できる。
【発明の効果】
【０００８】  上述したように本発明の滴受皿付きドリッパーは、受皿台をカップやポットに載せたままで、コーヒーの注入ができ、かつ残露液も受けることができる。そして、コーヒーを飲むときは本体を受皿台に載置したままカップ上端からテーブル等に移せば、滴の落ちるのを防ぐことができる。
【発明を実施するための最良の形態】
【０００９】  以下、本発明の実施の形態を図１〜図３に基づいて説明する。【００１０】  図においては、１は受皿台で、本体からの抽出液注入口２と立上縁４を設けた滴溜り部３とを備えている。５は漏斗状の本体で、その底部に抽出孔６と下部に転倒止フランジ７とを設けている。【００１１】  以下、上記構成の操作を説明する。カップ等にコーヒーを注ぐときは、受皿台１をカップ等の上端に載せる。その受皿台の抽出液注入口２の位置と本体５の抽出孔６の位置とを重ね合わせるように載置して湯を注ぎコーヒーを注入する。そして、注ぎ終わると抽出孔６の位置を滴溜り部３に水平移動すれば残露液を受けることができる。また、転倒止フランジ７を設けているので安定に操作できる。コーヒーを飲むときは本体５を受皿台１に載置したままカップ上端からテーブル等に移せば滴を落とすことが防げる。
【図面の簡単な説明】
【００１２】
【図１】  本発明の実施形態を示す傾斜図
【図２】  同の本体の底面図
【図３】  同の受皿台の平面図
【符号の説明】
【００１３】  １  受皿台
２  抽出液注入口
３  滴溜り部
４  立上縁
５  本体
６  抽出孔
７  転倒止フランジ
【図１】
2007160058.tif 000003
【図２】
2007160058.tif 000004
【図３】
2007160058.tif 000005
(57)【要約】【課題】肩たたきの棒が体に柔らかく当たる様にする。【解決手段】紙でパイプを作って、中に空気層を設ける。【選択図】図１
2007160051.tif 000002
【特許請求の範囲】
【請求項１】
紙を丸めた、中空の紙パイプで図１を構成部品としているもの。
【請求項２】
紙パイプ図１を数本丸く束ねて、図２の如く構成するもの。
【請求項３】
図２の紙パイプ結束品を図３の如く布製カバーに入れたもの。
【発明の詳細な説明】
【技術分野】
【０００１】この発明は新聞折込広告等の紙を利用出来るもので紙パイプの復元力と中の空気層でクッションを持たせた。
【背景技術】
【０００２】紙の平板を積層した物もありますが、紙を丸めてあたり面を丸くした。
【特許文献１】実用新案  第３０３９４１９号
【発明の開示】
【発明が解決しようとする課題】
【０００３】肩たたきの当たりを柔らかくして、且つ当たり面を多くする。
【課題を解決するための手段】
【０００４】紙を丸めて、中に空気層をもつ紙パイプを円形にまとめて結束する。
【発明の効果】
【０００５】肌に柔らかく、広い面にあたる。
【発明を実施するための最良の形態】
【０００６】紙パイプに使用する紙は新聞の折込み広告等のもので、少し硬めで弾力のあるものを使用する。【０００７】紙パイプの十数本で外形を円形に束ねて、粘着テープで結束して棒状にする。【０００８】外面に布製カバーを取り付けて、汚れた時は外して洗う様にする。
【実施例】
【０００９】図１では新聞折込み広告紙を丸めて紙パイプ外径を約７〜１０ｍｍにして、その両端と中央を糊付けした。【００１０】図２では紙パイプ１２本をまとめて、外形を円形にしてその両端と中央部分を粘着ビニールテープで巻いて仕上げた。
両端は強く巻いて先を細くした。【００１１】紙パイプを結束した棒状のものに、布製の筒状カバーを作って被せて両端を図３の如く紐で結んだ。
長さは３０〜４０ｃｍのものとした。
【図面の簡単な説明】
【００１２】
【図１】新聞の折込み広告等の紙を丸めた紙パイプで外径７〜１０ｍｍ位全長３０〜４０ｃｍ位にして、両端と中央を糊付けしたもの。
【００１３】
【図２】紙パイプを１０〜１５本位を束ねて、外径を丸くして粘着テープ（Ａ）で両端と中央を結束したもので、特に両端はテープを強く巻いて先細にしたもの。
【００１４】
【図３】紙パイプを筒状布製カバーに入れて両端を紐（Ｂ）で縛っている。
【図１】
2007160051.tif 000003
【図２】
2007160051.tif 000004
【図３】
2007160051.tif 000005
(57)【要約】
2007160056.tif 000003【課題】  仰向けに寝て体の下に指圧器を入れ移動させるとき、体を少し浮かせて指圧したい所に合わせるために自分の体重を手と足で持ち上げることは、お年寄などにはなかなか困難であり手で指圧器を移動させると背中のあたりに手がとどかない人が多い。また指圧器の上部は硬くて筋肉や筋を痛めることがあった。これらを解決すること。【解決手段】  指圧ボールの上に仰向けに寝たまま体をずらすと、指圧ボールは床を転がり回転しながら体とボールの接触面を移動し簡単に指圧したい所に合わせることができる。人の体重で圧宿されて楕円形になった一番高いところが壷を指圧して、ボールの上側全体が体に密着するので筋肉や筋を痛めることなく程好い指圧になる。【選択図】図１
2007160056.tif 000002
【特許請求の範囲】
【請求項１】
球体のため、床を転げて体の壷に簡単に移動できることを特徴とする指圧ボール。
【請求項２】
球体に弾力を持すのに、材質はゴムだけでなくいろいろな硬さを調整できる材料を特徴とする指圧ボール。
【請求項３】
球体は、使う人、使用ヶ所に応じていろいろな大きさのものを使用することを特徴とする指圧ボール。
【発明の詳細な説明】
【技術分野】
【０００１】  本発明は、指圧ボールの上に仰向けに寝て、自分の体重がボールにかかった部分を指圧する。
【背景技術】
【０００２】  従来は、中山式のような４個所指圧タイプだと４箇所同じに指圧することになり壷以外も刺激してしまう。また指圧部分が固いので必要以上に刺激して筋肉や筋など痛めることがある。
【発明の開示】
【発明が解決しようとする課題】
【０００３】  仰向けに寝た体の下に指圧器を入れて体を少し浮かせて壷に嵌めるとき体を移動するか手で指圧器を移動させていた。また指圧器の上部は硬くて筋肉や筋を痛めることがあった。大きさは一定だと使う人や使用ヶ所で異なり刺激ぐあいは異なってしまう。これらを解決することを課題とする。
【問題を解決するための手段】
【０００４】  この問題を解決するための請求項１の発明は、指圧ボールの上に人が寝たまま体をずらすと球体のボールが床の上を転がりボールが回転して体の接触面が簡単に移動できる。
【０００５】  請求項２の発明は、圧宿ボールの上に人が寝ると体重で楕円形になりボールの一番高いところが壷を刺激してボールの上側全体で体に密着する。
【０００６】  請求項３の発明は、球体の大きさが一定だと首、肩、腰、おしりなど体にヒットしないから使用ヶ所に応じていろいろな大きさにする。
【発明の効果】
【０００７】  本発明により、指圧ボールの上に、仰向けに寝たまま体を移動さすだけで壷に中てることができる。また弾力があり体の体重で適度に圧縮され必要以上に壷を刺激しないし、体や使用ヶ所に合った大きさの物を使用することで程よい指圧になる。
【発明を実施するための最良の形態】
【０００８】  図１は、指圧ボール全体で形状は球体である。【０００９】  図２は、弾力があるため人の体重が掛かると圧宿して楕円形になったもの。【００１０】  主にゴムが有力だが材質については程よいものがよい。大きさは適度なものにする。
【産業上の利用可能性】
【００１１】  本発明に係る指圧ボールは、工業的に量産する事が可能であるため、産業上の利用可能性を有する。
【図面の簡単な説明】
【００１２】
【図１】  指圧ボール正面図
【図２】  指圧ボールが圧宿された楕円形の正面図
【符号の説明】
【００１３】  １  指圧ボール本体
２  圧宿され楕円形になった指圧ボール本体
【図１】
2007160056.tif 000004
【図２】
2007160056.tif 000005
【手続補正書】
【提出日】平成18年3月2日(2006.3.2)
【手続補正１】
【補正対象書類名】特許請求の範囲
【補正対象項目名】全文
【補正方法】変更
【補正の内容】
【特許請求の範囲】
【請求項１】
指圧ボールを球体にすることで簡単に指圧したい場所に転げて移動することを特徴とする指圧ボール。
【請求項２】
指圧ボールに弾力を持すことで、程好い硬さで筋や筋肉を痛めず指圧することを特徴とする指圧ボール。
【手続補正２】
【補正対象書類名】明細書
【補正対象項目名】全文
【補正方法】変更
【補正の内容】
【発明の詳細な説明】
【技術分野】
【０００１】  本発明は、指圧ボールの上に仰向けに寝て、体をずらすだけで指圧したい所に移動できて硬さも程好く指圧できるようにした指圧ボールの改良に関するものである。
【背景技術】
【０００２】  従来は、中山式のような４個所指圧タイプだと、４個所同じに指圧することになり指圧したい所以外も指圧してしまう。また指圧部分が固いことから必要以上に指圧して筋肉や筋などを痛めることがある。
【発明の開示】
【発明が解決しようとする課題】
【０００３】  仰向けに寝た体の下に指圧器を入れて体を少し浮かせて、指圧したい所に体を移動するか手で指圧器を移動させていた。また指圧器の上部は硬くて筋肉や筋を痛めることがあった。これらを解決することを課題とする。
【問題を解決するための手段】
【０００４】  請求項１の発明は、指圧ボールの上に人が寝たまま体をずらすと球体の指圧ボールが床の上を転がることで、体の接触面を回転しながら移動して簡単に指圧したい場所に移動できる。
【０００５】  請求項２の発明は、圧宿ボールに弾力を持たして上に人が寝ると体重で楕円形になり、ボールの一番高いところが壷を刺激して、ボールの上側全体が体に密着して程好い指圧の強さにした。
【発明の効果】
【０００７】  本発明は、指圧ボールの上に仰向けに寝たまま体を滑らすと指圧したい所に簡単に移動できる。また弾力をもたしたことで適度な指圧になり必要以上に壷を刺激しない。
【発明を実施するための最良の形態】
【０００８】指圧ボール本体１の形状は球体である。指圧ボール本体１の上に人が仰向けに寝て体を滑らすと、指圧ボール本体１は床と体の間を転げて指圧したい場所に移動できる。また弾力を持たしたことで、指圧ボール本体１に体の体重が掛かって圧宿されて楕円形になって指圧ボール本体２になる。楕円形の先は滑らかな曲線で体に密着して適度な指圧になる。
【産業上の利用可能性】
【０００９】  本発明に係る指圧ボールは、工業的に量産する事が可能であるため、産業上の利用可能性を有する。
【図面の簡単な説明】
【００１０】
【図１】  指圧ボール正面図
【図２】  人の体重が掛かり圧宿された楕円形の正面図
【符号の説明】
【００１１】  １  指圧ボール本体
２  圧宿され楕円形になった指圧ボール本体
(57)【要約】【課題】従来の技術では図２で示す様にネジを外されると板を守る事が出来ない。【解決手段】図１に示す様に５、６、７、３を付ける事により解決出来る。【選択図】図１
2007160074.tif 000002
【特許請求の範囲】
【請求項１】
スノーボード又はスキー板の盗難防止器具であって、スノーボード又はスキー板を緊締する帯状締付け部と、ビンディングを締結する鎖上結束部と、該帯上付け部と鎖状結束部とをロックする錠、を有する事を特徴とした盗難防止器具
【請求項２】
請求項１記載のスノーボード又はスキー板を緊締する帯状締付け部が、金属ベルト若しくはワイヤーの端部に板の側部に嵌るコの字上金属ブロックを有し、該部でベルト若しくはワイヤーの他端部をロックさせる事を特徴とした盗難防止器具
【請求項３】
請求項１記載のスノーボード又はスキー板を緊締する帯状締付け部が、金属ベルト若しくはワイヤーの結束部に設けた一端のラチェット歯部と他端の係止爪部とにより緊締され該部でロックさせることを特徴とした盗難防止器具
【発明の詳細な説明】
【技術分野】
【０００１】
この発明は、スノーボード及びスキーの盗難防止器具の形状に関する
【背景技術】
【０００２】
従来の盗難防止器具は、図５に示す様に１のビンディングに３のワイヤーを通し、２の柵や木に回し盗難を防ぐ器具等である。
【特許文献１】特開平９−１４７２３１号公報
【発明の開示】
【発明が解決しようとする課題】
【０００３】
しかしながら、以上の技術によれば図２の様に１のビンディングのネジを取ってしまえばスノーボードの板は盗まれてしまう欠点が有りました。そこで、４の板に盗難防止器具を固定する事を課題とする。
【課題を解決するための手段】
【０００４】
以上の課題を解決するために、第一発明は図３の６のコの字形の締め付け器具を、スノーボードの板に図４の様にはめ込み５のベルト又はワイヤーで軽く締め７でロックする。
スノーボードの板はソリをもうけたり幅が一定でない為にコの字形の締め付け器具と板の隙間を小さくする事で、軽く締め付けただけでも上にも下にもずれなくなり、外す事が出来なくなる事を特徴とする盗難防止器具。
【０００５】
第二発明は、コの字形の器具の代わりに、ベルト若しくはワイヤーの結束部図７に設けた一端のラチェット歯部と他端の係止爪部とにより強く締め付け該部にロック装置を付け加える事により上下にずれなくなり外される事を防止する特徴を持っている。
【発明の効果】
【０００６】
第一発明、第二発明によれば、図６の様にビンディングのネジを外されても板に固定された締め付け器具は、外れない為にビンディングと板の両方を盗難から守る事が出来る盗難防止器具。
【発明を実施するための最良の形態】
【０００７】
この発明の実施形態を図１に示す。
板に取り付けられた盗難防止器具は、図３の拡大図で示す様にプラスチック等で作られた６は、コの字形をした器具です。
そこに、５のワイヤー又はベルトを取り付け７でロックし、３のワイヤーで２の柵又は木に固定する。
【実施例１】
【０００８】
この実施形態によれば、図６に示す様に１のビンディングの８のネジを外されても６のコの字形をした締め付け器具が４の板から外されない為に３のワイヤー又は強化ロープを２の柵又は木に回して盗難から１のビンディングと４の板の両方を守る事が出来る盗難防止器具。
【実施例２】
【０００９】
図１の実施形態では、板から外されるのを防ぐ為に６のコの字形の締め付け器具を使っていましたが、他の実施形態では図７で示す様にコの字形器具に変えて９の既存の締め付け器具を取り付け、強く締め付け、緩められない様に新たに７でロックする装置を追加して板から外されるのを防ぐ盗難防止器具。
【図面の簡単な説明】
【００１０】
【図１】この発明の一実施形態を示す斜視図である。
【図２】従来の技術の課題を示す斜視図である。
【図３】コの字形の締め付け器具を拡大して示す斜視図である。
【図４】コの字形の締め付け器具を、４の板に装着したところを示す斜視図である。
【図５】従来の技術を示す斜視図である。
【図６】この発明の効果を示す斜視図である。
【図７】コの字形締め付け器具に変え、他の実施形態を示す斜視図である。
【符号の説明】
【００１１】
１  ビンディング（ブーツを固定する物）
２  柵又は木等の固定された物
３  締め付け器具を２につなぐ為のワイヤー又は強化ロープ
４  スノーボードの板
５  締め付け器具に取り付けて締め付ける為のワイヤー又はベルト  
６  プラスチック等で作られたコの字形の締め付け器具
７  ベルト又はワイヤーが緩められたり、外されるのを防ぐ鍵
８  １のビンディングを４の板に取り付けるネジ
９  既存の締め付け危惧に緩まない様にロック装置７を追加したもの  
【図１】
2007160074.tif 000003
【図２】
2007160074.tif 000004
【図３】
2007160074.tif 000005
【図４】
2007160074.tif 000006
【図５】
2007160074.tif 000007
【図６】
2007160074.tif 000008
【図７】
2007160074.tif 000009
(57)【要約】      （修正有）【課題】使用時に調整不要で、使用時に床面のごみや汚れが付着せず、安価で、暖房効果がある乗り物用足置きを提供する。【解決手段】発熱繊維4を帯状の紐や布状のベルト１等に取り付け、更に長さ調整具３及び列車、飛行機等の座席に取り付けるためのフック２を設ける。【選択図】図１
2007160044.tif 000002
【特許請求の範囲】
【請求項１】
発熱繊維を備えた帯状の紐や布状のベルト等に長さ調整具及び列車、飛行機等の座席に取り付けるためのフックを設けた列車、飛行機等の乗り物用の足置き。
【発明の詳細な説明】
【技術分野】
【００１】  本発明は、発熱繊維を備えた帯状の紐や布状のベルト等に長さ調整具及び列車、飛行機等の座席に取り付ける為のフックを設けた乗り物用足置きに関するものである。
【背景技術】
【００２】  従来、かばんの肩ひも、ウエストポーチとの兼用また、空気で膨らませて床面におくもの、或いは板状の台形のものはあった。
【発明の開示】
【発明が解決しょうとする課題】
【００３】そのために次のような問題点があった。
（イ）かばんの肩紐、ウエストポーチの腰紐との兼用なので、使用時にかばんから取り外したりウエストポーチの中に入れるものにより容積がかさみ目的とする使用にできなかった。また使用時にそれぞれ、かばんの長さ、ウェストポーチの使用に長さ合わせているため足置き用に長さを調整しないといけなかった。また使用後にも同様に調整が必要だった。
（ロ）空気で膨らませたもの及び板状の台形のものは床面に直接置いて使用するので不衛生でまた使用後収納時にごみ、汚れが付着したまま収納しないといけなかった。
（ハ）かばんの肩紐、ウエストホーチの腰紐との兼用は構造が兼用のために複雑になり高価になっていた。
（ニ）ただ単に足を置くだけなので保温、暖房効果は期待できなかった。
【課題を解決するための手段】
【００４】発熱繊維を備えた帯状の紐や布状のベルト等に長さ調整具及び列車、飛行機等の座席に取り付けるためのフックを設けた乗り物用足置きを提供する。
【発明の効果】
【００５】  使用時の取り付け、使用後の取り外しが簡単でまた収納も容易で衛生的でかつ構造が簡単なので安価にできる。
発熱繊維を備えることで使用中に足部を保温、暖房し冷えを防止する。
【発明を実施するための最良の形態】
【００６】以下本発明の実施の形態について説明する。
（イ）帯状の紐や布状のベルト（１）にフック（２）、長さ調整具（３）及び発熱繊維（４）を取り付ける。
（ロ）帯状の紐や布状のベルトは布製、プラスチック製何れでもよく足を乗せたときの荷重に耐えるものであれば良い。
また、フック、長さ調整具についても金属製、プラスチック製何れでも良いが足を乗せた時の加重に耐えるものでそれぞれ座席に固定でき長さが調整できるものであれば良い。
（ハ）発熱繊維は、線赤外線加工繊維、吸湿発熱性を備えた繊維、または光吸収発熱繊維等で構成されたもので使用時に足部を保温、暖房できるものであれば良い。
本発明は以上のような構成でこれを使用するときは、列車または飛行機に乗ったときに前の席の下端またはテーブルの支え具にフック（２）を掛け長さ調整具（３）で足および床面からの高さに調整し足を乗せる。足を乗せた後は、足の疲れをとるとともに発熱繊維の効果により足部を保温、暖房できる。
また収納に際しては、構造が簡単な為小さく丸めたり畳んだりしてかばんに容易に収納できる。
【図面の簡単な説明】
【００７】
【図１】本発明の平面図
【符号の説明】
【００８】        １    帯状の紐や布状のベルト
２    フック
３    長さ調整具
４    発熱繊維
【図１】
2007160044.tif 000003
(57)【要約】【課題】  従来の湯垢除去方法は、循環ポンプとフィルターの組合せで除去するか、網ですくって除去するかなどであるが、電気エネルギーの消費、フィルターの清掃などを伴い、網を利用すると費用はかからないが、網の清掃をしなければならない等の問題があった。【解決手段】  浴槽の止水栓を貫通した湯面垢排除ホースの上端面を湯面直下に保持して、湯面に浮遊する垢を、表層湯と共に浴槽外に排除することできれいな浴湯を維持できる。【選択図】図１
2007160046.tif 000002
【特許請求の範囲】
【請求項１】
湯面垢排除ホースと、前記ホースの下端を密着保持する浴槽の止水栓と、前記ホースの上端部を保持する浮板からなり、その上端部の保持高さを変えることで、表層湯を浴槽外に排水できるようにした湯面垢排除ホース付止水栓。
【請求項２】
湯面垢排除ホースの上端切口に単数又は複数の突起を設けて、湯面垢の排除速度を上げた請求項１記載の湯面垢排除ホース付止水栓。
【発明の詳細な説明】
【技術分野】
【０００１】  本発明は浴槽面に浮遊する垢等を除去して、きれいな浴湯を維持する湯面垢排除ホース付止水栓に関する。
【背景技術】
【０００２】  従来の浴湯の汚れ防止には、循環ポンプとフィルターを設置する方法や、垢を網ですくい取る方法が取られている。
【発明の開示】
【発明が解決しようとする課題】
【０００３】  従来の浴湯の汚れ防止方法では、極微細なものは捕捉されず、電気エネルギーの消費や、フィルターの清掃、網の清掃など煩雑であった。【０００４】  本発明は、このような問題を解決しようとするものであり、浴湯面と浴槽底外をホースでつないで、位置エネルギーを利用して、浴湯面の垢等を浴槽外へ直接排除することにより、浴湯の汚れを防止することを目的とするものである。
【課題を解決するための手段】
【０００５】  そして、本発明は、上記目的を達成するための第１の課題解決手段として、湯面垢排除ホースと、前記ホースの下端を密着保持する浴槽の止水栓と、前記ホースの上端部を保持する浮板からなり、その上端部の保持高さを変えることで、表層湯を浴槽外に排水できるようにしたものである。【０００６】  また、第２の課題解決手段は、湯面垢排除ホースの上端切口に単数又は複数の突起を設けて、湯面垢の排除速度を上げたものである。【０００７】  上記第１の課題解決手段による作用は次の通りである。すなわち、浮板に保持された湯面垢排除ホースの上端面が、湯面直下の場合は、外気を吸い込みながら表層湯を排水し、それと共に湯面垢等を排除するが、ホース上端面が、湯面上の場合は排水せず、浴湯の不要な排水を防止できる。【０００８】  また第２の課題解決手段による作用は、湯面垢排除ホースの上端切口に、単数又は複数の突起を設けることで、外気の吸込量を多くして、湯面垢の排除速度を上げ、排除効率を高めることができる。
【発明の効果】
【０００９】  上述したように、本発明の湯面垢排除ホース付止水栓は、湯面垢排除ホースの上端面の保持高さを移動するだけで、湯面の汚れを直接浴槽外に排除でき、事後の清掃などの煩雑さを解消し、きれいな浴湯を維持できる。
【発明を実施するための最良の形態】
【００１０】以下本発明の実施の形態を図１〜図４に基づいて説明する。【００１１】  浴槽の深さに対応して伸縮する螺旋状の湯垢排除ホース１は、その下端が浴槽の止水栓２を貫通して密着保持され、前記ホース１の上端部は浮板３を貫通して保持されるが、その保持高さは手で簡単に変えることができる。【００１２】  前記ホース１の上端面は表層湯の吸込口となるが、外気の吸込みを助長するための単数又は複数の突起４を有する。【００１３】  以下上記構成の動作を説明する。浮板３で保持されている湯面垢排除ホース１の上端面を湯面上に移動すると表層湯は排水されない。【００１４】  また、上記ホース１の上端面を湯面直下に移動すると、単数又は複数の突起４の先端は、湯面に出ており、これが外気の吸込みを助長するので、表層湯は外気と共に吸い込まれ浴槽外に排水されて、湯面垢は一緒に排除される。以上のように、本実施形態によれば、自然に湯面をきれいにすることができる。
【図面の簡単な説明】
【００１５】
【図１】本発明の実施形態を示す湯面垢排除ホース付止水栓の正面図
【図２】表層湯吸込み口の拡大図
【図３】浮板の上面図
【図４】湯面垢排除ホースの上端面を湯面上に出した、排除中止の状態図
【符号の説明】
【００１６】      １湯面垢排除ホース
２浴槽の止水栓
３浮板
４湯面垢排除ホース上端部の突起
【図１】
2007160046.tif 000003
【図２】
2007160046.tif 000004
【図３】
2007160046.tif 000005
【図４】
2007160046.tif 000006
(57)【要約】      （修正有）【課題】  一人一人異なる顔面形状の加齢によりできた額と目の周りの眉間のしわ、左右目尻のしわを浅く目立たなく改善する。【解決手段】  支持体１の裏面にクッション材２を取り付け、支持体１からボルト３で固定した複数のアーム４を持ち出し、先端にボルト５で当て板６を固定し、裏面にクッション材７を取り付け、額のしわ、眉間のしわ、左右の目尻のしわを狙ってクッション材２、クッション材７を位置調整して当て、支持体１端から持ち出したゴムバンド８端のマジックテープおす９を支持体１の他端のマジックテープめす１０に加圧調整して止める。【選択図】図１
2007160049.tif 000002
【特許請求の範囲】
【請求項１】
支持体の裏面にクッション材を保持し、支持体から複数のクッション材付き当て板を持ち出し、支持体を頭部にセットして、支持体のクッション材とクッション材付き当て板を顔面のしわを狙って当てる位置調整手段と加圧調整手段を有してなる美容具。
【発明の詳細な説明】
【技術分野】
【０００１】  本発明は美容具に関する。
【背景技術】
【０００２】  従来、顔にできたしわを効果的に改善するものは見られず、保湿効果で肌に潤いを与えるものが多かった。
【発明の開示】
【発明が解決しようとする課題】
【０００３】  男女をとわず、加齢により出来た顔面のしわを目立たなく改善をする。
【課題を解決するための手段】
【０００４】  本発明は弾性材の支持体を額から後頭部側へかけてセットし、一人一人異なる顔へ支持体裏面に保持したクッション材を額のしわを狙って当て、支持体から持ち出したクッション付き当て板を左右の眉間のしわ、左右の目尻のしわを狙って当てる位置調整手段と、支持体端部から持ち出したゴムバンドで加圧調整し、ゴムバンド端をマジックテープで支持体の他端にとめる。
【発明の効果】
【０００５】  本発明は顔のしわにクッション材付き当て板を、少々加圧して、連日、短時間繰り返し当てることで、しわを開き、皮膚細胞を刺激、活性化をはかりながら、反発力を引き出すことでしわを浅く目立たなく改善するものである。
【発明を実施するための最良の形態・実施例】
【０００６】  本発明の美容具は、図１に示されるように額から後頭部側にかける半円形状の支持体１の額部裏面にクッション材２を貼りつけ、支持体１の中央部と左右の二か所からボルト３で曲げ調整可能なアーム４を持ち出し、ボルト５でアーム４端と当て板６を固定し当て板６の裏面にクッション材７を貼りつけ、支持体１の一端からゴムバンド８を持ち出し、端部にマジックテープおす９を付け、支持体１の他端に付けたマジックテープめす１０にマジックテープおす９を止めるもので、このとき、額のクッション材２を基準として額のしわに当て、支持体１から持ち出した当て板６裏面のクッション材７を眉間のしわ、左右の目尻のしわを狙ってアーム４を曲げ、位置調整をして当て、支持体１端から持ち出したゴムバンド８でクッション材２、クッション材７の加圧調整を行い、ゴムバンド８端のマジックテープおす９を支持体１他端のマジックテープめす１０に固定する。
【図面の簡単な説明】
【図１】  本発明に係る美容具の概観図である。
【符号の説明】
１  支持体
２  クッション材
３  ボルト
４  アーム
５  ボルト
６  当て板
７  クッション材
８  ゴムバンド
９  マジックテープおす
１０  マジックテープめす
【図１】
2007160049.tif 000003
(57)【要約】      （修正有）【課題】顔に合わせてマスクのゴムの長さを調整するタイプにのものは無かった。そこで自分の顔の大きさにゴムの長さを合わせられ、耳に負担をかけずにマスクをかけられるマスクを提供する。【解決手段】パイプに切り込みを入れた口腔マスクのゴム紐向け調整器具を用い、筒状で両端に切り込みが入り、マスクのゴムが引っ掛かる事を特徴としたマスクのゴム調整器具。【選択図】図１
2007160048.tif 000002
【特許請求の範囲】
【請求項１】
筒状で両端に溝を設け、マスクのゴムが引っ掛かる事を特徴としたマスクのゴム調整器具。
【発明の詳細な説明】
【技術分野】
【０００１】  本発明は、パイプに切り込みを入れた口腔マスクのゴムひも向け調整具に関するものである。
【背景技術】
【０００２】  従来、マスクのゴムの長さを調整するものは無かった。
【発明の開示】
【発明が解決しようとする課題】
【０００３】  そのために、次のような問題点があった。
（イ）マスクのゴムひもが短すぎるとゴムの張力で耳の周囲が痛くなった。
（ロ）マスクのゴムひもが短すぎるとマスクが頬に擦れて痛かった。
（ハ）マスクのゴムひもが長すぎるとマスクが下がってしまう。
本発明は、これらの問題点を解決するためになされたものである。
【課題を解決するための手段】
【０００４】  医療用プラスチックや貴金属などで、マスクのゴムが挿通可能な径を有するパイプの両端に溝を形成し、その溝にマスクのゴムを掛ける。
以上を特徴とするマスクのゴム調整具である。
【発明の効果】
【０００５】  自分の顔の大きさにゴムの長さを合わせられ、耳に負担を掛けずにマスクを掛けられる。
【発明を実施するため最良の形態】
【０００６】  以下、本発明の実施の形態について説明する。
（イ）パイプ本体（１）の両端にマスクのゴムが挿通可能な、左右対称のＬ字型溝（３）（直角の切り込み）を形成する。
（ロ）使用に際しては、マスクのゴムひも（４）の一部を本発明のゴムひも挿通口（２）のいずれか一方に通し、Ｌ字型溝（３）に沿わせてゴムひも（４）を該溝に差し込み、一部を本発明調整具の外に出して、さらにもう一方のＬ字型溝（３）、並びに挿通口（２）へと通して取り付ける。（図２参照）
図２は、本発明調整具の使用状態を示す図であり、左側拡大図にて示した円中、ハッチング（斜線）で示した部分が調整具本体を示している。
本発明の基本的な実施例にあっては、図に示すようなＬ字型溝（３）が最も望ましいが、必ずしもこれに拘泥するものではなく、例えばローマ字のＪ字状、Ｓ字状などに形成することも可能である。また、該溝の配置に関しては、他の実施例として、上述のような左右対称の配置ではなく、一方の溝に対し、他方の溝を９０度、１８０度などと回転させた位置に形成してもよい。
【図面の簡単な説明】
【０００７】
【図１】本発明の斜視図
【図２】本発明の使用状態を示す斜視図
【符号の説明】
【０００８】      １      本体
２      ゴムひも挿通口
３      Ｌ字型溝
４      マスクのゴムひも
【図１】
2007160048.tif 000003
【図２】
2007160048.tif 000004
(57)【要約】      （修正有）【課題】  既存のキッチンまたは洗面所のキャビネットに収容するため、洗濯機の小型化と、洗濯機収納可能なキャビネット構造を提供する。【解決手段】  既存キャビネットの中に給水および排水配管を配置すると共に、巾４５０ＭＭ、高さ７１０ＭＭ、奥行き４５０ＭＭ以下の小型洗濯機を載置し、前後に引き出しまた収納するため複数のキャスタ又はロールを平均的に配置した洗濯機パンをキャビネット内に設置する。このため、障害となる既存キャビネットの巾木や戸当たりを除去し、さらに既存キャビネットの傷や汚れを補修する。【選択図】図１
2007160050.tif 000002
【特許請求の範囲】
【請求項１】
キッチン（又は洗面）キャビネットの中に小型洗濯機を収納して、従来の如く排水パンを含む洗濯機置場の設置による室内美観上の欠点を防ぐと共に居住スペースの削減を防止する洗濯機設置構造
【請求項２】
キャビネット内の仕切板に給水管及び排水管の通る穴をそれぞれあけ既存の給水管に洗濯機の給水管を接続すると共に、洗濯機の排水管を臭気防止のためのトラップを設けて既存排水管に接続する給排水接続工法
【請求項３】
キャビネット下部の巾木の一部を切断除去して、キャビネットに収納した洗濯機に洗濯物を投入したり取り出す等に、洗濯機をキャビネットから手前に引き出して自由に操作出来る様に、洗濯機を乗せる防水パンの底部に数個のキャスター又はロールを平均的に配置して、キャビネットから洗濯機を引き出す際に容易に円滑に移動可能ならしめるキャビネット改造工法
【請求項４】
キャビネットの表面を汚れや傷を補修した後あたかもキャビネットを新品に更新した如き外観に、美麗に仕上る化粧工法
【発明の詳細な説明】
【技術分野】
【０００１】本発明は住宅又はホテルの室内に洗濯機置場を設けずに、既存のキッチン（又は洗面）キャビネットの中へ収納してしまうキャビネット構造に関する
【発明が解決しようとする課題】
【０００２】従来のワンルームの賃貸住宅は専有面積が少ないため洗濯機は外廊下やベランダなど室外に設置することが多かった。そのため風雨の日は洗濯出来ず、夜間音をたてて洗濯して近隣から大変嫌われて来た。その上外観上にも問題があった。又ホテルの宿泊客にとっては、汗に汚れた下着や靴下など洗濯機さえあれば簡単に洗濯出来歓迎されるに違いないしかし洗濯機を室内に新たに設置するにはかなりのスペースが必要とするため着手出来ず、問題を残したまま放置されてきた
【課題を解決するための手段】
【０００３】キャビネットの中に収納し得る様洗濯機を小型化して、キャビネットの中に収納し洗濯物の投入時及び洗濯完了後の洗濯物の取り出し時のみ、洗濯機をキャビネットから手前に引き出して使用する。その際洗濯機を簡単にいどうえしめる為の防水パン及び給排水構造
【発明の効果】
【０００４】洗濯機は洗濯物の投入時及び取り出し以外は、休止中は勿論運転時もキャビネット内に収納されて、居住スペースが拡大するほか室内意匠面からもすっきりして著しく居住性を高めることに貢献する
【発明を実施するための最良の形態】
【０００５】既存キャビネットの洗濯機を収納しようとするスペースが内法で巾が４５０ｍ／ｍ以上高さが７１０ｍ／ｍ以上且つ奥行きが４５０ｍ／ｍ以上であればいずれの場合も実施出来る【０００６】既存キャビネットが［０００５］に規定する寸法にいずれか一辺でも小さければ収納することが出来ず、新たに［０００５］の規定を満足させるキャビネットを準備しなければならない
【図面の簡単な説明】
【０００７】
【図１】キャビネット内工作図
【図２】防水パン工作図
【図１】
2007160050.tif 000003
【図２】
2007160050.tif 000004
(57)【要約】      （修正有）【課題】カーソルを使って、ボールを移動させて自分のボールを先に５つ並べることを競うゲームを提供する。【解決手段】複数の正４角形の枠８の中心に、ピンポン球を置くための穴７を開けた４角形の盤１と、異なる色をした複数個の該ピンポン球と、中心軸を差し込むための穴９を中心に回転自在で該ピンポン球を４個収容可能としたカーソルからなる。【選択図】図１
2007160064.tif 000002
【特許請求の範囲】
【請求項１】
複数個の四角形枠の真ん中に、くぼみを開けた四角形の盤と、決められたくぼみに置いた複数個の異なる色をした複数種のボールと中心軸を中心に回転自在で該ボールを軸の周囲に４個収容可能としたカーソルとからなるゲーム。
【発明の詳細な説明】
【技術分野】
【０００１】  本発明は、ボードゲームに関するものである。
【背景技術】
【０００２】  従来、ボードゲームとしては、升目等の盤面と多様な駒を用いて、所定のルールに則し、駒を盤面上で動かす「囲碁」や「オセロゲーム」等の陣取りゲームなどがある。
【発明の開示】
【発明が解決しようとする課題】
【０００３】  しかしながら、陣取りゲームは２人対戦が主でこの場合、２種類の駒で取り合ったり、ひっくり返したり、容易に相手の駒を自分の駒に入れ替えることができるが、多人数になると駒の種類が増え、入れ替えが容易でなくなる。一つの駒を数面体に形成し、各面を異なる色で着色して使うものがあるが、盤面上に他の駒の面が見えてしまって、陣取りの途中の状況がわかりにくい。この発明は、これらの欠点を除くためになされたものである。
【課題を解決するための手段】
【０００４】  この発明は、複数個の正四角形枠の真ん中に、くぼみを開けた四角形の盤と、決められたくぼみに置いた複数個の異なる色をした複数種のボールと、中心軸を中心に回転自在で該ボールを軸の周囲に４個収容可能としたカーソルとからなるものである。
【発明の効果】
【０００５】  この発明のゲームによれば、回転自在で該ボールを軸の周囲に４個収容可能としたカーソルとからなる２色のボールを使ってゲームをより複雑にして２人で楽しむことができる。
【発明の実施するための最良の形態】
【０００６】  以下、この発明の実施例を図１ないし図７を参照して説明する。
【０００７】  この実施例のゲームは、図１および図２、図７に示す盤１と、図３ないし図４に示すピンポン玉２、３（ボール）と、図５および図６に示すカーソル４とからなるものである。
【０００８】  上記盤１は、図１および図２、図７に示すように板１１の下面に土台１０を設け、上面に枠８を設け、枠８で形成された正四角形の真ん中に穴７を形成してえるものである。また、枠８には差し込み口９が設けられている。
【０００９】  上記ピンポン玉２は、赤色をしている。
【００１０】  上記ピンポン玉３は、緑色をしている。
【００１１】  上記カーソル４は、図５および図６に示すように、四角形の形をしている。中心軸６の周囲に外枠４を設けてなるものである。
【００１２】  この実施例のゲームを用いて遊ぶ場合には、盤１の穴７に赤色のピンポン玉２、緑色のピンポン玉３を所定の位置に並べる。例えば２人でゲームをする場合、最初に赤色のピンポン玉２担当の人が、カーソル４の中心軸６を盤１の差し込み口９に差し込んで、それぞれ自分の担当の色を含むピンポン玉を左か右に９０°回転させることにより、カーソル４内のピンポン玉を１コマずつ移動させる。このようにして順次緑色のピンポン玉３担当の順にカーソル４を使って回してゆき、先に自分の色のピンポン玉を縦、横、斜めの、いずれか５個並べると、勝ちになり、そこでゲームが終了する。しかし、６個並べると負けになる。（例外として、相手のピンポン玉を６個並べると、自分の勝ちになる。）あと、自分が使った差し込み口９には続けて相手が差し込めない。
【００１３】  この実施例のゲームによれば、盤１と２種類のピンポン玉２、３とカーソル４とを使って遊べるようにしたので、２人で遊ぶことができる。
【図面の簡単な説明】
【００１４】
【図１】盤１の平面図である。
【図２】盤１の正面図である。
【図３】赤色のピンポン玉２の図である。
【図４】緑色のピンポン玉３の図である。
【図５】カーソル４の平面図である。
【図６】カーソル４の正面図である。
【図７】盤１の裏面図である。
【符号の説明】
【００１５】１  盤
２  赤色のピンポン玉
３  緑色のピンポン玉
４  カーソル
５  しきり板
６  中心軸
７  ピンポン玉を置くための穴
８  外わく
９  中心軸を差し込むための穴
１０  土台
１１  板
１２  盤の裏面
【図１】
2007160064.tif 000003
【図２】
2007160064.tif 000004
【図３】
2007160064.tif 000005
【図４】
2007160064.tif 000006
【図５】
2007160064.tif 000007
【図６】
2007160064.tif 000008
【図７】
2007160064.tif 000009
(57)【要約】【課題】つま先部分に段差をつける事により使用した時、指の筋肉を強化する履物を提供する。【解決手段】靴のつま先部分（２）に足の指が靴の底部分（１）をつかむ様な形の段差を設けな事を特徴とする。【選択図】図１
2007160061.tif 000002
【特許請求の範囲】
【請求項１】
靴の床部（１）の、つま先部分（２）に段差をつけた、足指強化履物。
【発明の詳細な説明】
【発明の詳細な説明】
【技術分野】
【０００１】  この発明は、つま先部分に段差をつけた事により使用時に足の指の筋肉を強化する履物に関するものである。
【背景技術】
【０００２】  従来、軽量化、スベリ止め、衝撃吸収、むれ防止などの工夫がされていた
【発明が解決しようとする課題】
【０００３】  そのために、次のような欠点があった。
（イ）  靴の床部分が平らな為に、意識しないとつま先に力が入らず、重心が後ろ寄りになり、姿勢が悪くなる。
（ロ）  足の指を十分に器能しないと膝や腰などの負担が大きくなる。
（ハ）  足裏には全身のつぼが集中する為、そこの筋肉を鍛えるのは健康面、運動面にとって極めて重要出ある。
本発明は、これらの欠点を解決するためになされたものである
【課題を解決するための手段】
【０００４】  靴の床部分（１）のつま先の部分（２）にの位置に従った段差をつける本発明は、以上の構成からなる足指強化履物である。
【発明を実施するための最良の形態】
【０００５】  以下、本発明の実施の形態について説明する。
（イ）  靴の床部分（１）のつま先の部分（２）に足の指が靴の床部分をつかむ様な形の段差をつけて、指や爪をいためない様な工夫をする。
本発明は以上のような構造でこれを使用する時は従来通りに使用する。
【発明の効果】
【０００６】  足の指が靴の床部分をつかむ様な形になる為、重心が前方に移る為、姿勢が良くなる。更に健康面、運動面に良い効果を持たらす。
【図面の簡単な説明】
【図１】  本発明の斜視図
【図２】  本発明の要部断面図
【符号の説明】
（１）  床部
（２）  つま先部分
（３）  底
（４）  胴体
【図１】
2007160061.tif 000003
【図２】
2007160061.tif 000004
(57)【要約】      （修正有）【課題】鼻をかむ際に、心地のいい気分になるティッシュペーパーを提供する。【解決手段】ＢＯＸティッシュ、ポケットティッシュで使用されているティッシュペーパーに、シャンプー、リンス、コンディショナー、トリートメントで使用されている香料を塗布し、鼻をかむ際に  香料によって心地のいい気分になれる香料付ティッシュ１とした。【選択図】図１
2007160062.tif 000002
【特許請求の範囲】
【請求項１】
商品化されているＢＯＸティッシュ、ポケットティッシュにシャンプー、リンス、コンディショナー、トリートメントで使用する香料を塗布し、ティッシュ自体に心地のいいにおいを付けた事を特徴とする香料付ティッシュ。
【発明の詳細な説明】
【技術分野】
【０００１】本発名は、鼻をかむ際に心地のいい気分になる香料付ティッシュに関する。
【背景技術】
【０００２】従来のティッシュは、無臭の物が多く鼻をかむ際には心地のいい気分にはなれなかった。
【発明の開示】
【発明が解決しようとする課題】
【０００３】以上に述べた従来のティッシュでは、鼻をかむ際心地のいい気分にはなれなかった。
特に花粉症にかかっている人には、大変必要とされます。【０００４】本発明は鼻をかむ際に、香料によって心地のいい気分になれる事を目的とする物である。
【課題を解決するための手段】
【０００５】本発明は、上記課題を達成する為に、ティッシュ自体に香料を塗布する事によって鼻をかむ際より一層心地いい気分になれます。
特に花粉症にかかっている人には大変必要とされます。
【発明の効果】
【０００６】上述した様に本発明の香料付ティッシュは、ティッシュ自体に香料が塗布してある為鼻をかむ際  より一層心地いい気分になれます。
【発明を実施するための最良の形態】
【０００７】本発明の実施の形態を図１に基づいて説明する。【０００８】図において１は香料付ティッシュペーパーで２はＢＯＸティッシュのＢＯＸです。
【図面の簡単な説明】
【０００９】
【図１】本発明の香料付ティッシュの斜め上から見た外観図
【符号の説明】
【００１０】１  香料付ティッシュ
２  ＢＯＸティッシュのＢＯＸ
【図１】
2007160062.tif 000003